(57)【特許請求の範囲】
【請求項１】
大きさの異なる複数種類の釣具を収納可能なケース本体と、このケース本体の開口部全体を被覆し、且つ、大きさの異なる複数種類の釣具を脱落させること無くケース本体内に収納させることが可能であって、所望の釣具をケース本体に対して出し入れすることが可能な複数の開口が形成された伸縮性を有するシート状部材で構成された規制部材とを備えていることを特徴とする釣具収納ケース。
【請求項２】
大きさの異なる複数種類の釣具を収納可能なケース本体と、このケース本体の開口部全体を被覆し、且つ、大きさの異なる複数種類の釣具を脱落させること無くケース本体内に収納させることが可能であって、伸縮性を有するひも状部材を網状に張り巡らせ、このひも状部材の間隙から所望の釣具をケース本体に対して出し入れすることが可能な規制部材とを備えていることを特徴とする釣具収納ケース。
【発明の詳細な説明】
【０００１】
【発明の属する技術分野】
本発明は、無駄なスペースを生じること無く安定して大きさの異なる複数種類のウキを取出容易に且つ確実に収納することが可能な低コストな釣具収納ケースに関する。
【０００２】
【従来の技術】
従来から魚釣に際して、大きさの異なる複数種類のウキ（例えば、中通しウキや円錐ウキ等の涙滴型のウキ）を用いることが多いが、これらのウキは、一括して釣具収納ケースに収納した状態で持ち運ばれている。
【０００３】
ところで、このような釣具収納ケースでは、ケース内に無駄なスペースが多くなり、その結果、収納した複数種類のウキが持ち運び中にケース内で動き回って互いにぶつかり合うといった不具合があった。
【０００４】
そこで、例えば特開平１０−９９０００号公報に開示された釣具収納ケースには、ウキを収納するための凹所が設けられており、この凹所には、ウキを弾性保持するための弾性保持部材を有する仕切り壁が配置されている（以下、第１の従来技術という）。
【０００５】
この第１の従来技術の構成によれば、ウキを収納する際、弾性保持部材の弾性保持力に抗してウキを押し込むことによって仕切り壁で仕切られた凹所内にウキを収納させることが可能であり、一方、ウキを取り出す際、弾性保持部材の弾性保持力に抗してウキを引き出すことによって、仕切り壁で仕切られた凹所内から所望のウキを取り出すことが可能である。
【０００６】
また、例えば特開平９−１７２９３０号に開示されたウキ収納ケースには、ウキを個別に保持可能な複数のウキ保持部材が設けられており、このウキ保持部材には、夫々、ウキの糸通し孔に嵌入させることが可能なピン部が形成されている（以下、第２の従来技術という）。
【０００７】
この第２の従来技術の構成によれば、ウキの糸通し孔をピン部に嵌入させることによって、ウキ収納ケース内にウキを収納させることが可能である。
【０００８】
【発明が解決しようとする課題】
しかしながら、第１の従来技術では、仕切り壁で仕切られた凹所に大きさの異なる複数種類のウキを収納したとき、その凹所内に無駄なスペースが多くなり、その結果、収納した複数種類のウキが持ち運び中にケース内で動き回って互いにぶつかり合うといった不具合を生じるだけで無く、更に、小型のウキでは、仕切り壁で仕切られた凹所から容易に脱落してしまう場合がある。特に磯釣りでは、場所によって非常に足場の悪い所もあるため、一旦ウキを落とすと転がってそのまま海に落ちてしまう場合も多々起こる。
【０００９】
また、第２の従来技術では、ピン部の径寸法とウキの糸通し孔の径寸法が合わないと、ウキの糸通し孔をピン部に嵌入させることができなくなるだけで無く、ピン部から容易にウキが脱落してしまう。具体的には、ピン部の径寸法がウキの糸通し孔の径寸法よりも大きい場合、ウキをウキ収納ケースに収納させることができなくなってしまう。一方、ピン部の径寸法がウキの糸通し孔の径寸法よりも小さい場合、ピン部から容易にウキが脱落してしまう。
【００１０】
本発明は、このような問題を解決するために成されており、その目的は、無駄なスペースを生じること無く安定して大きさの異なる複数種類のウキを取出容易に且つ確実に収納することが可能な低コストな釣具収納ケースを提供することにある。
【００１１】
【課題を解決するための手段】
このような目的を達成するために、本発明の釣具収納ケースは、大きさの異なる複数種類の釣具を収納可能なケース本体と、このケース本体の開口部全体を被覆し、且つ、大きさの異なる複数種類の釣具を脱落させること無くケース本体内に収納させることが可能であって、所望の釣具をケース本体に対して出し入れすることが可能な複数の開口が形成された伸縮性を有するシート状部材で構成された規制部材とを備えている。
更に、大きさの異なる複数種類の釣具を収納可能なケース本体と、このケース本体の開口部全体を被覆し、且つ、大きさの異なる複数種類の釣具を脱落させること無くケース本体内に収納させることが可能であって、伸縮性を有するひも状部材を網状に張り巡らせ、このひも状部材の間隙から所望の釣具をケース本体に対して出し入れすることが可能な規制部材とを備えている釣具収納ケースが提供される。
【００１２】
【発明の実施の形態】
以下、本発明の釣具収納ケースについて、図１を参照して説明する。
【００１３】
図１に示すように、釣具収納ケースは、大きさの異なる複数種類の釣具即ちウキ２（例えば、中通しウキや円錐ウキ等の涙滴型のウキ）を収納可能なケース本体４と、このケース本体４の開口部４ａ全体を被覆し、且つ、大きさの異なる複数種類のウキ２を脱落させること無くケース本体４内に収納させることが可能であって、所望のウキ２をケース本体４に対して個々に出し入れすることが可能な規制部材６とを備えている。
【００１４】
ケース本体４は、例えば、ポリプロピレン等の防水性及び耐久性に優れた材料で形成することが好ましい。なお、ケース本体４の形状として、図１では、矩形状のものを示したが、これに限定されることは無く、例えば円形状又は楕円状等、種々の形状を選択することが可能である。
【００１５】
規制部材６は、伸縮性を有する伸縮性部材８で構成されている。この伸縮性部材８は、例えば図１に示すように、伸縮性を有するひも状部材（ゴムひも等）を縦横に網状に張り巡らせて構成することができる。
【００１６】
上述したような構成によれば、複数種類のウキ２は、伸縮性を有する伸縮性部材８から成る規制部材６によって押さえられるため、ケース本体４内にガタ付きが防止された状態で安定して且つ無駄なスペースを生じること無く収納させることができると共に、脱落すること無く確実にケース本体４に収納させることができる。同時に、規制部材６を伸縮性を有するひも状部材（ゴムひも等）を縦横に網状に張り巡らせた伸縮性部材８で構成したことによって、その大きさに関係無く所望のウキ２をケース本体４に対して規制部材６の間隙より個々に出し入れすることが容易に行うことができると共に、規制部材６の間隙からケース本体４に収納した複数種類のウキ２に対する視認性が良くなるため、所望のウキ２を迅速且つ容易に探し出すことができる。更に、規制部材６でケース本体４の開口部４ａ全体を被覆するといった簡単な構成であるため、低価格な釣具収納ケースを実現することができる。
【００１７】
また、ケース本体４内の防水性を更に向上させると同時に、規制部材６の保護を図るために、例えば図１に示すような蓋体１０を設けても良い。この蓋体１０は、ヒンジ（図示しない）を介してケース本体４に開閉自在に取り付けても良いし、又は、ケース本体４とは別体に配置させても良い。この場合、蓋体１０は、例えば、ポリプロピレン等の防水性及び耐久性に優れた材料で形成することが好ましい。
【００１８】
なお、本発明は、上述した実施の形態の構成に限定されることは無く、以下のように種々変更しても上述した実施の形態と同様の効果を得ることができる。
【００１９】
第１の変形例として、例えば図２に示すように、複数の開口１２が形成されたシート状部材１４で規制部材６を構成しても良い。この場合、シート状部材１４としては、例えばゴム製シートや伸縮性を有する布材（塩化ビニルなど）を適用することが好ましい。また、開口１２の径寸法は、この開口１２を介してウキ２（図１参照）を出し入れ可能な寸法に設定すると同時に、最も小型のウキ２が開口１２を通ってケース本体４から脱落しない程度の寸法に設定することが好ましい。更に、開口１２の形状としては、円形や楕円形或いはメッシュ状の形状等、種々の形状を選択することが可能である。
【００２０】
第２の変形例として、例えば図３（ａ），（ｂ）に示すように、伸縮性を有するひも状部材（ゴムひも等）を縦横に編成して規制部材６を構成しても良い。
【００２１】
具体的には、図３（ａ）に示された規制部材６は、所定間隔で略平行に配置した複数本のひも状部材（仮に、横ひもという）１６の裏側に、所定間隔で略平行に配置した複数本のひも状部材（仮に、縦ひもという）１８を配置して形成されている。
【００２２】
また、図３（ｂ）に示された規制部材６は、所定間隔で略平行に配置した複数本のひも状部材（仮に、横ひもという）２０に対して、所定間隔で略平行に配置した複数本のひも状部材（仮に、縦ひもという）２２を交互に編み込んで形成されている。
【００２３】
【発明の効果】
本発明によれば、無駄なスペースを生じること無く安定して大きさの異なる複数種類のウキを取出容易に且つ確実に収納することが可能な低コストな釣具収納ケースを提供することができる。
【図面の簡単な説明】
【図１】本発明の釣具収納ケースの全体の構成を示す斜視図。
【図２】本発明の第１の変形例に係る釣具収納ケースの規制部材の構成を示す図。
【図３】本発明の第２の変形例に係る釣具収納ケースの規制部材の構成を示す斜視図であって、同図（ａ）は、横ひもの裏側に縦ひもを配置して形成した規制部材の構成を示す図、同図（ｂ）は、横ひもに対して縦ひもを交互に編み込んで形成した規制部材の構成を示す図。
【符号の説明】
２  ウキ（釣具）
４  ケース本体
４ａ  ケース本体の開口部
６  規制部材
８  伸縮性部材
【図１】
0003689576.tif 000002
【図２】
0003689576.tif 000003
【図３】
0003689576.tif 000004